(57)【要約】【課題】  導光板に設けた位置決め突起部の近傍に発生する輝度ムラを防止し、出射面全体の輝度を均一にすることができる面状照明装置を提供する。【解決手段】  枠体７に対する導光板１の位置を決定するための突起部１１ａ、１１ｂ、１１ｃ、１２ａ、１２ｂ、１２ｃを導光板１の側面１１、１２に設ける。導光板１を収納する枠体７に、前記導光板１の突起部に対応して凹部２０ａ、２０ｂ、２０ｃ、２１ａ、２１ｂ、２１ｃを設ける。それぞれの突起部のＬＥＤ２から遠い側の端部に切欠き１３ａ、１３ｂ、１３ｃ、１４ａ、１４ｂ、１４ｃを形成する。前記凹部は矩形状に形成し、切欠きは矩形状の凹部と同形状の突起部の稜部を平面状に削った（Ｃ面取りした）形状、あるいは稜部に丸みを持たせた（Ｒ面取りした）形状に形成する。これにより突起部の側面で複数回反射してから導光板１の中央方向に進行する光の量を減少させ突起部近傍の輝度ムラを防止する。【選択図】    図１
2005302485.tif 000002
【特許請求の範囲】
【請求項１】
透光性材料から成る導光板と、
該導光板の側面に対向して配置される光源と、
前記導光板と前記光源を収納する枠体を備えると共に、
前記光源が配置された導光板の側面と直交する側面に設けられ、前記導光板の前記枠体内における配設位置を決定するための突起部と、
前記導光体の突起部が嵌入される、前記枠体に形成された凹部とを備えた面状照明装置において、
前記凹部の形状は矩形状であり、
前記突起部が設けられた側面の長手方向で、前記突起部の前記光源から遠い側の端部に、前記突起部が設けられた側面の短手方向へ沿った切欠きを形成したことを特徴とする面状照明装置。
【請求項２】
前記突起部の切欠きは、突起部が設けられている側面に対する傾斜角が鋭角であるＣ面取りによって形成されていることを特徴とする請求項１に記載の面状照明装置。
【請求項３】
前記突起部の切欠きは、Ｒ面取りによって形成されていることを特徴とする請求項１に記載の面状照明装置。
【発明の詳細な説明】
【技術分野】
【０００１】
本発明は、サイドライト方式の面状照明装置に関し、特に、導光板および光源を枠体に収納する構成を有した面状照明装置に関する。
【背景技術】
【０００２】
薄型で占有容積が小さく、軽量であること等に特徴を有する液晶表示装置は、携帯電話やパーソナルコンピュータ等をはじめとする多くの電気製品に使用されている。ところで、液晶表示装置の液晶自体は自ら発光しないため、太陽光や部屋の照明の明るさを十分に取り込むことができない暗所で使用する場合には、液晶表示装置とは別個に液晶を照射する照明手段が必要となる。液晶表示装置のさらなる小型化が望まれる一方で、その液晶表示装置のうちの液晶表示部については大型化が望まれており、この要求に応えるためには液晶を照射する照明手段についても小型化、さらには低消費電力化を実現することが必要となってきている。
【０００３】
そこで、照明手段の小型化及び低消費電力化を実現するために、照明手段の光源として点状光源であるＬＥＤを使用するものや、照明手段を構成する光源、導光板等の各部材を所定の位置に固定して光を効率良く利用するものが開発されている。例えば、照明手段を構成する各部材を、所定の位置に固定する手段としては、各部材を収納するフレームを使用したものがある。導光板の側面に突起を設けると共に、その突起の位置に対応してフレームに凹部を設け、導光板をフレームに収納する際に突起と凹部を組み合わせることによって導光板の配設位置を固定する。しかしながら、この手段では、光源から出射した光のうち突起の付け根で反射した光が、他の部分で反射した光とは異なる挙動を示して導光板の出射面に達するため、突起の付け根から中央に向かってすじ状の輝線が発生するという不具合があった。
【０００４】
この不具合を解決する手段として、特許文献１に示すものがあり、図７に示すように、フレームに収納される導光板１２の位置決め用の突起１２Ｈを、導光板１２の側面１２Ｇの出射面１２Ｃ側に片寄って形成する構成が開示されている。これによれば突起１２Ｈの根元が小さく形成され、また突起１２Ｈの根元を導光板１２の裏面に形成した一対の斜面（１２Ｅ、１２Ｆ）からなる突起から遠ざけて配置させることができるので、明るく照らし出される突起１２Ｈの根元が出射面１２Ｃから視認されて発生する輝度レベルの高いすじ状の領域を知覚困難にすることができる。
【０００５】
しかし、特許文献１の発明では、導光板の厚みが比較的厚い場合には効果があるものの、導光板の厚みが比較的薄い場合には輝度の高いすじ状の領域が出射面に観察されてしまうという欠点があった。そこで、この欠点を解決する手段として、特許文献２に示すものがあり、図８に示すように、導光板の突起をフレームに対する位置決め部材として使用する構成ではないが、突起４Ｈを、導光板４の側面を厚み方向に２分割する仮想線より裏面４Ｂ側に形成する構成が開示されている。また、突起４Ｈを薄肉に作成し、楔型先端側を先端側に向かうに従って徐々に突起４Ｈの厚みが薄くなるように、突起４Ｈの側面４ＨＤが底面４ＨＢに対して斜めに傾いた平面により形成する構成が開示されている。これによれば突起４Ｈの付け根で反射された光を側面の近傍で出射面４Ｃより速やかに出射することができる。
【０００６】
【特許文献１】特開平１１−２６５６０９号公報
【特許文献２】特開２００１−１５４０２８号公報
【発明の開示】
【発明が解決しようとする課題】
【０００７】
しかしながら、特許文献１の発明では、上述したように導光板の厚みが比較的薄い場合には輝度の高いすじ状の領域が出射面に観察されてしまうという欠点があった。また、特許文献２の発明では、突起を薄肉状に作成する必要があり、フレームに対する位置決め部材として使用する場合には、破損する虞が高いという欠点があった。
【０００８】
そこで、本願発明はこのような事情に鑑みてなされたものであり、導光板に設けた突起部により、フレームに対する適正な位置決めを行なうことができると共に、突起部の近傍に発生する輝度ムラを防止し、出射面全体の均一な輝度を実現することができる面状照明装置の提供を目的とするものである。
【課題を解決するための手段】
【０００９】
上記課題を解決するために、請求項１に係る面状照明装置の発明は、透光性材料から成る導光板と、該導光板の側面に対向して配置される光源と、前記導光板と前記光源を収納する枠体を備えると共に、前記光源が配置された導光板の側面と直交する側面に設けられ、前記導光板の前記枠体内における配設位置を決定するための突起部と、前記導光体の突起部が嵌入される、前記枠体に形成された凹部とを備えた面状照明装置において、前記凹部の形状は、矩形状であり、前記突起部が設けられた側面の長手方向で、前記突起部の前記点状光源から遠い側の端部に、前記突起部が設けられた側面の短手方向へ沿った切欠きを形成したことを特徴とするものである。
【００１０】
導光板に形成した突起部の、光源から遠い側の端部に導光板の厚さ方向へ沿った、即ち、突起部が設けられた側面の短手方向へ沿った切欠きを形成することによって、突起部で反射した後に再度、突起部内の光源から遠い側の側面で反射して導光板方向へ進行する光を減少させ、突起部近傍の輝度ムラの発生を抑制する。
【００１１】
上記課題を解決するために、請求項２に係る面状照明装置の発明は、請求項１の発明において、前記突起部の切欠きは、突起部が設けられている側面に対する傾斜角が鋭角であるＣ面取りによって形成されていることを特徴とするものである。Ｃ面取りとは、矩形状の突起部の稜部を平面状に削って加工することをいう。
【００１２】
上記課題を解決するために、請求項３に係る面状照明装置の発明は、請求項１の発明において、前記突起部の切欠きは、Ｒ面取りによって形成されていることを特徴とするものである。Ｒ面取りとは、矩形状の突起部の稜部をＲ状に丸みを持たせて加工することをいう。
【発明の効果】
【００１３】
本発明に係る面状照明装置によれば、導光板に形成した突起部を枠体に設けた凹部に嵌入させて組み合わせることにより、フレームに対して導光板を適正な位置に固定することができ、光源からの光を効率良く利用することができる。また、導光板に形成した突起部の、光源から遠い側の端部に導光板の厚さ方向へ沿った切欠きを形成することによって、突起部で反射した光により発生する突起部近傍の輝度ムラを防止し、出射面全体の輝度の均一を実現することができる。
【発明を実施するための最良の形態】
【００１４】
以下、本発明に係る面状照明装置の一実施の形態を添付図面に基づいて説明する。
図１は、面状照明装置Ｍおよび面状照明装置Ｍの上側に配置される被照明体Ｎを示す分解斜視図である。面状照明装置Ｍは、導光板１と、点状光源２と、反射板３と、光拡散シート４と、輝度増大フィルム５、６と、これらの部材が収納される枠体７から概略構成されている。図２は、各部材が枠体７に収納された状態の面状照明装置Ｍを示す斜視図である。
【００１５】
図１、図２に示すように、枠体７内に収納された点状光源２は、導光板１の一側端面８側に配置される。点状光源２としては、例えば、ＬＥＤが使用される。ＬＥＤ２は、ＬＥＤチップが樹脂ケースによって覆われた構成を有しており、ケースには出射窓が形成されていて、出射窓から一方向へ出射光が効率よく出射されるように構成されている。以下、出射光が効率よく出射されるＬＥＤの一方向を光出射方向側とし、ＬＥＤの正面という。ＬＥＤ２は１個または複数個設けられており、その正面がそれぞれ一側面８に対向して近接配置されている。従って、ＬＥＤ２から出射された光の殆どは、一側面８から導光板１内に入射する。導光板１の一側面８のことを、以下、入射面８ともいう。
【００１６】
導光板１は、成形性、光学特性のバランスに優れるポリカーボネート樹脂、アクリル樹脂、非晶質ポリオレフィン樹脂の他、ポリスチレン、ポリエステル、ポリオレフィン、フッ素系透明ポリマー、エポキシ樹脂等の透明性の良好な材料から構成されている。また、導光板１の成形は、生産性、精度の点で優れる射出成形の他、熱加圧成形、押し出し成形、注型法等が適用可能である。ＬＥＤ２から出射した光は導光板１の入射面８から入射し、屈折、反射等を繰返して導光板１の表面である出射面９から出射する。導光板１の裏面１０、即ち、出射面９と対向する面には、ＬＥＤ２から導光板１内に入射した光を出射面９全体において均一に出射できるように、図示を省略する光線進路変更素子（光散乱パターン）が設けられている。光散乱パターンは、微細プリズム、微細突起または窪み、微細粗面パターン、微細印刷パターン等から構成されている。
【００１７】
導光板１は、略矩形状を有しており、ＬＥＤ２の配置されている導光板１の一側面８と直交する側面１１、１２には、それぞれの側面１１、１２に対して鉛直方向に延びる突起部１１ａ、１１ｂ、１１ｃ、１２ａ、１２ｂ、１２ｃが設けられている。これらの突起部は、導光板１が、後述する枠体７に収納されたときに、枠体７内における導光板１の配設位置を決定すると共に、その位置に導光板１を固定するためのものである。側面１１に設けられている突起部１１ａ、１１ｂ、１１ｃのうち、突起部１１ａおよび１１ｃは、導光板１の出射面９寄りに設けられており、突起部１１ｂは、裏面１０寄りに設けられている。また、側面１２に設けられている突起部１２ａ、１２ｂ、１２ｃのうち、突起部１２ａおよび１２ｃは、導光板１の出射面９寄りに設けられており、突起部１２ｂは、裏面１０寄りに設けられている。即ち、側面１１と側面１２のそれぞれに設けられた突起部は、導光板１の厚さよりも薄く形成されると共に、隣り合う突起部が導光板１の厚さ方向の高さを異にして互い違いに設けられている。これらの突起部が、後述する枠体７の凹部に嵌入されることで、導光板１は枠体７に対して適正な位置に確実に固定される。
【００１８】
導光板１の裏面１０側には、裏面１０を覆うように反射板３が設けられている。反射板３は、白色樹脂、銀メッキ板等の反射性材料から成り、導光板１の裏面１０から導光板の外部に放出する光を反射して導光板１内に再入力させるためのものである。従って、この光を反射する部材としては、反射板３に限定されるものではなく、例えば、各部材を収納して一体に保持する枠体７の底部に反射性材料を塗付し、反射板の機能を兼ねるように構成してもよい。
【００１９】
導光板１の表側、即ち、出射面９側には、光拡散シート４が設けられている。光拡散シート４は、導光板１に形成されているパターンの形状、例えば、図示を省略する光散乱パターンの形状を使用者に視認されないように、光を拡散させるためのものであり、光拡散剤練込タイプのもの、ランダム凹凸加工タイプのもの等がある。光拡散シート４は、通常１０μｍ以上の厚さのもの、好ましくは２０〜３００μｍのものが使用される。また、光拡散シート４は、透明な樹脂から構成され、その樹脂としては、ポリカーボネート、ポリエステル、ポリメチルメタクリレート等のものがある。
【００２０】
さらに、光拡散シート４の上側には、輝度増大フィルム（Brightness Enhancement Film）５、６が積層して設けられている。この輝度増大フィルム５、６は、透過性に優れたポリエステル、アクリル樹脂等の表面にプリズムパターンを精密形成した光学フィルムから成る。このように微細なプリズム構造が並ぶフィルムを導光板１の出射面９の上側に重ねて配置させることで、被照明体Ｎ側に放射される光の輝度を向上させることができる。プリズム構造が９０度交差する方向に輝度増大フィルム５、６を２枚重ね合わせることで性能が向上し、画面のにじみを解消して、光った部分と光を拡散する部分の縞模様（リフレクティブモアレ）を抑制する作用をなす。
【００２１】
次に、枠体７は、面状照明装置Ｍを構成している上記導光板１、ＬＥＤ２等の他の部材を収納する額縁状の部材であり、例えばポリカーボネート樹脂等の透光性樹脂材料の内部に光反射部材（酸化チタン等の白色顔料）を混入して成る。従って、枠体７は、光反射性の高い部材であり、導光板１から外部に出射した光を散乱反射して導光板１内に再度入射させ、ＬＥＤ２からの出射光の利用効率を高めている。枠体７には、凹部２０ａ、２０ｂ、２０ｃ、２１ａ、２１ｂ、２１ｃが形成されており、面状照明装置Ｍを組立てる際に導光板１の突起部１１ａ、１１ｂ、１１ｃ、１２ａ、１２ｂ、１２ｃがそれぞれこれらの凹部に嵌入され、導光板１は枠体７に保持される。
【００２２】
これらの凹部を図３において説明する。図３（ａ）は、枠体７の平面図を示す。凹部２０ａ、２０ｂ、２０ｃ、２１ａ、２１ｂ、２１ｃは、矩形状を有しており、枠体７の側壁２２、２３の内側壁面から鉛直方向へ延びて形成されている。また、凹部は、図３（ｂ）、（ｃ）に示すように、側壁２３に設けられている凹部２１ａ、２１ｂ、２１ｃのうち、凹部２１ａおよび２１ｃが、側壁２３の上側壁面２４寄りに設けられており、凹部２１ｂは、下側壁面２５寄りに設けられている。この構造は、側壁２２に設けられている凹部２０ａ、２０ｂ、２０ｃについても同様である。即ち、側壁２２と側壁２３のそれぞれに設けられた凹部は、隣り合う凹部が側壁の上下厚さ方向の高さを異にして互い違いに設けられている。これは、導光板１に設けられた突起部１１ａ、１１ｂ、１１ｃ、１２ａ、１２ｂ、１２ｃの位置に対応しており、突起部がこれらの凹部に嵌入されることで、導光板１は枠体７に対して適正な位置に確実に固定される。
【００２３】
また次に、光拡散シート４、輝度増大フィルム５、６が設けられた導光板１の上側（出射面９側）には、被照明体Ｎとして、例えば、液晶表示装置が配置される。液晶表示装置Ｎには、液晶表示素子が配設されている表示領域３１と、液晶表示素子が配設されていない周辺部である非表示領域３２が設けられている。液晶表示装置Ｎは、導光板１の出射面９から出射された光によって、液晶表示装置Ｎの裏側から照射される、いわゆるバックライト型の表示装置である。これにより液晶表示装置Ｎの輝度は向上し、視認性が向上する。
【００２４】
図４は、各部材が枠体７に収納された状態の面状照明装置Ｍを示す平面図である。突起部１１ａ、１１ｂ、１１ｃ、１２ａ、１２ｂ、１２ｃには、それぞれ切欠き１３ａ、１３ｂ、１３ｃ、１４ａ、１４ｂ、１４ｃが形成されている。これらの切欠きは、導光板１の側面１１、側面１２の長手方向の、ＬＥＤ２から見てそれぞれの突起部の遠い側の端部に形成されている。また、切欠きは、図３に示す矩形状の凹部と同形状の突起部のＬＥＤ２から遠い側の稜部を平面状に削った（Ｃ面取りした）形状に形成されている。即ち、Ｃ面取りした切欠き部の面は、突起部が設けられている側面１２、１３に対して、鋭角の傾斜角を有している。また、このＣ面取りは、導光板１の厚さ方向に沿って、即ち、導光板１の出射面９に対して鉛直方向に、側面１１、側面１２の短手方向へ沿って形成されている。
【００２５】
これに対して、切欠きが形成されていない方の突起部の端部、即ち、それぞれの突起部のＬＥＤ２に近い側の端部は、嵌入される枠体７の凹部２０ａ、２０ｂ、２０ｃ、２１ａ、２１ｂ、２１ｃの端部と同じ形状を有している。つまり、切欠きが形成されていない方の突起部の端部は、矩形状を有しており、例えば突起部１２ａでいうと、導光板１の側面１２に対して鉛直方向に延びる面１５ａと平行して延びる面１６ａによって形成されている。
【００２６】
このような構成により、突起部１１ａ、１１ｂ、１１ｃ、１２ａ、１２ｂ、１２ｃを構成している側面、および凹部２０ａ、２０ｂ、２０ｃ、２１ａ、２１ｂ、２１ｃを構成している側面で反射して導光板１の中央方向に進行する光のうち、複数回、側面で反射してから進行する光の量を減少させることができ、突起部近傍に発生する輝度ムラ領域のうち、導光板１の中央方向へ延びる輝度ムラ領域を減少させることができる。従って、導光板１の出射面９全体において均一な面発光を実現することができ、液晶表示装置Ｎの表示領域３１を大型化することができる。
【００２７】
また、枠体７に対する導光板１の位置ズレは、導光板１がＬＥＤ２から離れる方向のズレについては、導光板１の側面１７が枠体７の側壁２６に当接することによって防止される。また、導光板１がＬＥＤ２に近づく方向のズレについては、導光板１の突起部１１ａ、１１ｂ、１１ｃ、１２ａ、１２ｂ、１２ｃの側面（突起部１２ａでいうと面１５ａ）が、枠体７の凹部２０ａ、２０ｂ、２０ｃ、２１ａ、２１ｂ、２１ｃのＬＥＤ２側の側面に当接することによって防止される。また、導光板１の側面１１または側面１２方向へのズレについては、導光板１の突起部１１ａ、１１ｂ、１１ｃ、１２ａ、１２ｂ、１２ｃの側面（突起部１２ａでいうと面１６ａ）が、枠体７の凹部２０ａ、２０ｂ、２０ｃ、２１ａ、２１ｂ、２１ｃの凹面に当接することによって防止される。
【００２８】
尚、上記形態では、突起部１１ａ、１１ｂ、１１ｃ、１２ａ、１２ｂ、１２ｃの切欠き部がＣ面取りによって形成される場合について説明したが、この形態に限定されるものではなく、例えば、図５の突起部１１ａ'に示すように、矩形状の凹部（図３参照）と同形状の突起部のＬＥＤ２から遠い側の稜部をＲ状に丸みを持たせた、即ち、Ｒ面取りによって切欠き１８ａを設けたものであってもよい。また、上記形態では、光源として点状光源であるＬＥＤを用いた場合について説明したが、これに代えてハロゲンランプ等の点状光源を使用することも可能である。また、光源は点状光源に限定されるものではなく、導光板の一側面に配置可能な蛍光管等の線状光源であってもよい。
【実施例】
【００２９】
本発明に係る面状照明装置による輝度の均一性を観察した。導光板１は、２インチのサイズの物を使用し、その有効領域、即ち、液晶表示装置Ｎの表示領域３１として使用される領域は、約４０×３０ｍｍとする。また、導光板１の板厚は０.８ｍｍとし、透明ポリカーボネート樹脂材を使用し、その上下面（出射面９と裏面１０）には、微細粗面パターンを形成する。ＬＥＤ２は２灯配置させる。枠体７は、ポリカーボネート材に白色顔料が適量混入されている。その他の構成は特に指定のない限り上述した面状照明装置Ｍの形態と同様とする。また、比較のため従来の形態等についても観察した。
【００３０】
図６は、突起部および枠体の凹部を示す部分拡大図である。（ａ）図は、導光板１に従来と同じ形状の突起部、即ち、図３の矩形状の凹部と同形状の突起部１１ｄ（切欠き部を形成しない）を設け、枠体７に図３の矩形状の凹部２０ａを設けた従来の面状照明装置である。この場合には突起部１１ｄ近傍に異常発光（輝度ムラ）が発生する。（ｂ）図は、導光板１に（ａ）と同じ突起部１１ｄを設け、枠体７を取り付けない状態の面状照明装置である。この場合には突起部１１ｄ近傍における輝度ムラは発生しなかった。（ｃ）図は、導光板１に（ａ）と同じ突起部１１ｄを設け、枠体７に矩形状の凹部２０ｄを設けた面状照明装置である。この凹部２０ｄは、突起部１１ｄの長さよりも長く形成され、突起部１１ｄのＬＥＤ２から遠い側の側面と凹部２０ｄの側壁との間に空間が設けられている。この場合には、突起部１１ｄ近傍において輝度ムラが発生した。
【００３１】
（ｄ）図は、導光板１に、Ｃ面取りによって切欠き１３ａ部を形成した突起部１１ａを設け、枠体７に突起部１１ａと同じ形状の凹部２０ｅを設けた面状照明装置である。この場合には、突起部１１ａ近傍において輝度ムラが発生した。（ｅ）図は、図１から図４に示した本発明に係る面状照明装置であり、導光板１に、Ｃ面取りによって切欠き１３ａ部を形成した突起部１１ａを設け、枠体７に図３の矩形状の凹部２０ａを設けたものである。また、図５は、本発明に係る別の形態の面状照明装置であり、Ｒ面取りによって突起部１１ａ'に切欠き１８ａを設け、枠体７に、図３の矩形状の凹部２０ａを設けたものである。本発明に係る形態の面状照明装置ではいずれの場合にも、突起部１１ａ、１１ａ'近傍における輝度ムラは発生しなかった。
【００３２】
突起部近傍に発生する輝度ムラは、図６（ａ）の従来の形態に示すように、光（矢印３５で示す）が、突起部１１ｄの面３６、および凹部２０ａの面３７で反射した後に、突起部１１ｄのＬＥＤ２から遠い側の側面３８で反射してから導光板１の中央方向へ進行することが要因となって発生すると考えられる。従って、この突起部のＬＥＤ２から遠い側の側面で反射する光の量を減少させることにより突起部近傍の輝度ムラの発生を防止することができる。即ち、図６（ｅ）および図５の本願に係る面状照明装置の形態に示すように、突起部１１ａ、１１ａ'のＬＥＤ２から遠い側の端部に切欠き１３ａ、１８ａを設けことにより、切欠き面（図６（ａ）の側面３８に対応する面）で反射する光の量を減少させることができ突起部近傍の輝度ムラの発生を防止することができる。
【００３３】
これを図６（ｅ）において説明すると、図６（ａ）で矢印３５のように突起部１１ｄの面３６、および凹部２０ａの面３７で反射した後に、突起部１１ｄの側面３８で反射して進行した光は、図６（ｅ）では突起部１１ａの面３６、および凹部２０ａの面３７で反射することなく、切欠き１３ａの切欠き面で反射する。ところが、切欠き面に入射する際の光の入射角度の関係から、切欠き面に当った光の多くは、切欠き面を透過して進行するため、切欠き面で反射して導光板１の中央方向へ進行する光の量は少なくなる。但し、図６（ｄ）に示すように枠体７の凹部を突起部１１ａと同形状に形成すると、切欠き面を透過した光が凹部面で反射して再度、導光板１内に入射して進行するので、突起部１１ａ近傍において輝度ムラが発生する。従って、枠体７の凹部の形状は、図３に示す矩形状の凹部２０ａとすることが必要である。
【図面の簡単な説明】
【００３４】
【図１】本発明に係る面状照明装置、および面状照明装置の上側に配設される被照明体の一形態を示す分解斜視図である。
【図２】図１に示す面状照明装置を組立てたときの斜視図である。
【図３】（ａ）は、図１に示す面状照明装置の枠体を示す平面図である。  （ｂ）は、（ａ）のＡ−Ａ線における断面図である。  （ｃ）は、（ａ）のＢ−Ｂ線における断面図である。
【図４】図１に示す面状照明装置を組立てたときの平面図である。
【図５】本発明に係る面状照明装置の別の一形態を示す部分拡大図である。
【図６】（ａ）は、本発明に係る面状照明装置と対比するための従来の面状照明装置の一形態を示す部分拡大図である。  （ｂ）は、本発明に係る面状照明装置と対比するための面状照明装置の一形態を示す部分拡大図である。  （ｃ）は、本発明に係る面状照明装置と対比するための面状照明装置の一形態を示す部分拡大図である。  （ｄ）は、本発明に係る面状照明装置と対比するための面状照明装置の一形態を示す部分拡大図である。  （ｅ）は、本発明に係る面状照明装置の一形態を示す部分拡大図である。
【図７】位置決め用の突起部を設けた導光板の従来例を示す図である。
【図８】突起部を設けた導光板の他の従来例を示す図である。
【符号の説明】
【００３５】
Ｍ    面状照明装置
Ｎ    被照明体（液晶表示装置）
１    導光板
２    点状光源（ＬＥＤ）
７    枠体
８    入射面
９    出射面
１０  裏面
１１ａ、１１ｂ、１１ｃ、１２ａ、１２ｂ、１２ｃ  突起部
１３ａ、１３ｂ、１３ｃ、１４ａ、１４ｂ、１４ｃ  切欠き
２０ａ、２０ｂ、２０ｃ、２１ａ、２１ｂ、２１ｃ  凹部
【図１】
2005302485.tif 000003
【図２】
2005302485.tif 000004
【図３】
2005302485.tif 000005
【図４】
2005302485.tif 000006
【図５】
2005302485.tif 000007
【図６】
2005302485.tif 000008
【図７】
2005302485.tif 000009
【図８】
2005302485.tif 000010